(57)【要約】【課題】削孔の障害となる支障物が存在するコンクリート構造物の内部にせん断補強筋を設置する。【解決手段】  支障物を避けてコンクリート構造物の表面から元穴を削孔する。この元穴の内部に、元穴の中心線にほぼ直交する方向に向けて高圧水を噴射できるノズルを挿入して元穴を中心に縦溝を形成する。この縦溝の内部に、せん断補強筋支持具を組み立てて、構造物内にせん断補強筋を配置する。その後に充填材を充填して一体化する。【選択図】図１
2011122303.tif 000002
【特許請求の範囲】
【請求項１】
コンクリート構造物の壁面などに、削孔の障害となる支障物が存在する場合の工法であって、
支障物を避けてコンクリート構造物の表面から元穴を削孔し、
この元穴の内部に、元穴の中心線にほぼ直交する方向に向けて高圧水を噴射できるノズルを挿入して元穴を中心に縦溝を形成し、
この縦溝の内部に、
下端を基礎台に固定し、上端に受け具を設けた下段支柱を、少なくとも２基挿入し、
両下段支柱の受け具の上にせん断補強筋を搭載し、
搭載したせん断補強筋か下段支柱の上端に、
下端に受け具を設け、上端に受け具を設けた上段支柱を設置し、
搭載支柱の上端の受け具の上に、上段のせん断補強筋を搭載し、
この作業を繰り返した後、
縦溝内に、充填材を充填してせん断補強筋をコンクリート構造物の内部に設置する、
せん断補強工法。
【請求項２】
柱材の下端を基礎台に固定し、上端に受け具を設けた下段支柱と、
柱材の下端と上端に受け具を設けた上段支柱とより構成し、
柱材の上端の各受け具は、せん断補強筋を搭載できる受け皿状に形成した、
せん断補強筋支持具。
【発明の詳細な説明】
【技術分野】
【０００１】
本発明は、せん断補強工法とせん断補強筋支持具に関するものである。
【背景技術】
【０００２】
阪神淡路震災を受けて、従来の設計法で構築した鉄筋コンクリート構造物の一部でせん断耐力が不足していることが判明した。
そこで多くの既存の鉄筋コンクリート構造物において、そのせん断補強が実施されている。
その補強方法としては、鉄筋コンクリート構造物の全面にわたってせん断補強鋼材であるアンカーボルトを打ち込み、このアンカーボルトに鋼板を固定する方法が知られている。（特許文献１）
あるいはボックスカルバートを対象として、その壁面の内側からコンクリート構造物に長穴を削孔し、その内部にせん断補強筋を挿入して充填材を充填する方法も知られている。（特許文献２）
【先行技術文献】
【特許文献】
【０００３】
【特許文献１】特開平１０−１４０８５０号公報。
【特許文献２】特開２００３−１１３６７３号公報。
【発明の概要】
【発明が解決しようとする課題】
【０００４】
前記した従来のせん断補強工法にあっては、次のような問題点がある。
＜１＞  何れの方法でも、所定の間隔でコンクリート構造物に長穴を削孔する必要があるが、側壁にケーブル、管路などが取り付けてあるボックスカルバートのような場合にはそれらが障害となってそのままでは削孔ができない。
＜２＞  そのためにケーブル、管路などをいったん移設し、せん断補強筋を設置後に戻すという手数を要している。
＜３＞  削孔する長穴は直線状態の円柱であるから、せん断補強筋は棒状のものに限られ、たとえばＬ字状のようなせん断補強筋を設置することはできない。
【課題を解決するための手段】
【０００５】
上記のような課題を解決するために、本発明のせん断補強工法は、コンクリート構造物の壁面に、削孔の障害となる支障物が存在する場合の工法であって、支障物を避けてコンクリート構造物の表面から元穴を削孔し、この元穴の内部に、元穴の中心線にほぼ直交する方向に向けて高圧水を噴射できるノズルを挿入して元穴を中心に縦溝を形成し、この縦溝の内部に、下端を基礎台に固定し、上端に受け具を設けた下段支柱を、少なくとも２基挿入し、両下段支柱の受け具の上にせん断補強筋を搭載し、搭載したせん断補強筋か下段支柱の上端に、下端に脚板を固定し、上端に受け具を設けた上段支柱を設置し、搭載支柱の上端の受け具の上に、上段のせん断補強筋を搭載し、この作業を繰り返した後、縦溝内に、充填材を充填してせん断補強筋をコンクリート構造物の内部に設置する、せん断補強工法である。
また本発明のせん断補強筋支持具は、下端を基礎台に固定し、上端に受け具を設けた下段支柱と、下端と上端に受け具を設けた上段支柱とより構成したものである。
【発明の効果】
【０００６】
本発明のせん断補強工法とせん断補強筋支持具は以上説明したようになるから次のような効果を得ることができる。
＜１＞  既設のコンクリート構造物の壁面に電線、管路あるいは各種の設備が支障物として取り付けてあっても、それらを移設することなくコンクリート構造物の内部にせん断補強筋を設置することができる。
＜２＞  電線などの支障物の撤去と再度の取り付け作業を行うことがないから、特に延長の長いボックスカルバートのようなコンクリート構造物においてはその経済効果は極めて高いものである。
＜３＞  棒状の鉄筋のようなせん断補強筋に限らず、先端をフック状、Ｌ字状に曲げ加工したせん断補強筋をコンクリート内部に設置することができ、効率のよいせん断補強効果を得ることができる。
【図面の簡単な説明】
【０００７】
【図１】支障物を避けて元穴を削孔する状況の説明図。
【図２】ウオータジェットで縦溝を形成している状態の説明図。
【図３】支障物と縦溝の位置関係の説明図。
【図４】せん断補強筋を支持する下段支柱の実施例の斜視図。
【図５】縦溝の手前に配置する下段支柱の実施例の斜視図。
【図６】下段支柱を組み立てる説明図。
【図７】下段支柱の上に、上段支柱を組み立てる説明図。
【図８】下段支柱の上に、上段支柱を組み立てた側面図。
【図９】構造物の内部に複数段にせん断補強筋を配置した状態の説明図。
【図１０】ウオータジェットのノズル部の例の斜視図。
【発明を実施するための形態】
【０００８】
以下図面を参照にしながら本発明の工法の好適な実施の形態を詳細に説明する。
【実施例】
【０００９】
＜１＞前提条件。
本発明の工法の対象は、特に壁面などに、削孔の障害となる支障物が存在するコンクリート構造物である。
例えばボックスカルバートのようなコンクリート構造物ではその壁面に全長にわたって電線や管路を取り付けてある場合が一般であり、本発明の工法の利用の範囲は広い。
なお、以下の説明は壁面について行うが、壁面に限らず、柱、スラブ、梁、床版、フーチングなども対象とすることができる。
【００１０】
＜２＞ウオータジェット。
本発明の縦溝５はウオータジェットによってコンクリートを破壊して形成する。
このウオータジェットは、図１０に示すように、送水管の先端にほぼ直交する方向に向けたノズルを取り付けたものであり、このノズル部分は長いものに交換することが可能である。
このノズルから高圧の水を噴射することによってコンクリートを破壊し削孔する装置は公知である。
このウオータジェットを利用して、コンクリートを破壊して後述する縦溝５を形成する。なお図３はカッターで元穴５１を、ウオータージェットで縦溝５を形成した例である。
【００１１】
＜３＞せん断補強筋支持具。
本発明の工法では、せん断補強筋支持具Ａを使用する。
その支持具Ａは下段支柱１と上段支柱２によって構成するが、その構造を図４から図８によって説明する。
なお、一般に、支障物の背後に設置されるせん断補強筋は、その配置状況、すなわち「出来形」を目視確認するのが困難である。
しかし本発明の場合にはせん断補強筋支持具Ａを使用するので、長穴５にせん断補強筋を設置する前に、事前に開放部で仮組立を行うことができる。
その仮組み立ての形状から、せん断補強筋の間隔が保持されている状態、せん断補強が前後に傾斜していない状態を目視して確認することができる。
その際に、せん断補強筋支持具Ａの支持具には、せん断補強筋を所定の間隔に保持するスぺーサーの役割を持たせることができる。
【００１２】
＜３−１＞下段支柱。
下段支柱１は、棒状の柱材１１の下端に基礎台１２を固定し、上端に受け具１３を固定して構成する。柱材１１としては、異形鋼棒、普通丸鋼、全ねじボルトまたは各種形鋼などを使うことができる。
柱材１１の下端の基礎台１２としてはたとえば短いチャンネルを、開放部を下向きにして利用し、柱材１１を直立させて固定する。
この基礎台１２の幅は、後述する縦溝の幅よりも多少狭い幅で形成する。
柱材１１の上端の受け具１３は、たとえば短いパイプを中心軸と平行に半分に切断したような半円形の樋状の受け部材である。
この受け具１３は、後述する下段のせん断補強筋３を支えることが可能なように、せん断補強筋３の直径よりも大きい直径の半円などで受け皿状に形成してあることが必要である。
この受け具１３の幅も、後述する縦溝５の幅よりも短く形成する。
この受け具１３が、下段のせん断補強筋３を下から支える部材となる。
【００１３】
＜３−２＞上段支柱。
上段支柱２は、鉄筋のような細い鋼棒の柱材２１の下端と上端に受け具２２、２３を固定して構成する。
この受け具２２、２３も、短いパイプを中心軸と平行に半分に切断したような樋状の受け部材である。
柱材２１の上端に固定した受け具２３は、せん断補強筋を下から支える部材となる。
柱材２１の下端に固定した受け具２２は、下段支柱１の受け具１３に搭載したせん断補強筋３の上に被せて、上段支柱２を支持する部材となる。
【００１４】
＜３−３＞組み合わせ。
縦溝５内に上記の下段支柱１を平行に２本、設置する。
下段支柱１の柱材１１は基礎台１２に固定してあるから、倒れることはない。
２本の下段支柱１の上の受け具１３に、下段のせん断補強筋３を搭載し設置する。
この下段のせん断補強筋３の上に、上段支柱２の下の受け具２２を載せて、上段支柱２を立てる。
上段支柱２はせん断補強筋３に対して左右方向に傾斜する可能性があるが、縦溝５の壁面に支えられるから傾斜するだけで転倒することはない。
上段支柱２の上の受け具２３の上に、上段のせん断補強筋４を搭載し設置する。
その上には順次、同様の工程で上段支柱２を重ねてゆき、側面から見て梯子状の組み合わせができる。
その場合に梯子の横桟に相当するのが、本発明のせん断補強筋である。
【００１５】
＜４＞元穴の削孔。
構造物の表面から、その表面にほぼ直交する方向に向けて元穴５１を削孔する。
元来、構造物の表面には支障物が位置しているから、この元穴５１の削孔は支障物の隙間を利用して行う。
削孔方法はウオータジェットやダイヤモンドカッターを利用した方法など公知の方法によって行う。
この元穴５１は、支障物の隙間を使って複数個所に削孔しておくと、後工程の縦溝５の形成が容易である。
【００１６】
＜５＞縦溝の形成。
元穴５１の内部に、前記したウオータジェットを挿入して、ノズル７を元穴５１の上下に向けて高圧水を噴射してコンクリートを破壊して縦溝５を形成する。
このウオータジェットは、図１０に示すように、送水管７１の先端にほぼ直交する方向に向けたノズル７を取り付けてあるから、このノズル７の方向を多少左右に振りながら高圧の水を噴射することによって、コンクリートを一定幅で破壊し、縦溝５を形成することができる。
元穴５１からのウオータジェットの噴射によって、縦に長い溝５を形成することができるが、特に元穴５１を上下方向に同一線上で複数形成できると、それらを縦溝５で上下方向に連続させることにより、より容易に長い縦溝５を形成することができる。
ウオータジェットは、先端のノズル７部分が交換可能であるから、縦溝５が長くなるにしたがって長いノズル７と交換することにより、効率的に長溝を形成することができる。
ウオータジェットでのコンクリート破壊の場合に、その水圧を調整すれば、コンクリートだけを破壊し、既存の鉄筋は切断しないという選択を容易に行うことができる。
【００１７】
＜６＞支持具の組み立て。
縦溝５の完成後に縦溝５内に支持具Ａを組み立てる。
しかし、縦溝５と外部の作業空間の間には支障物が存在する。
だから、支持具Ａを外部で組み立てておいて縦溝５の内部にそのままスライドさせることはできない。
そこで、いわゆるマジックハンドと称される、元側での開閉操作が長い筒の先端の指状片の開閉として伝達する公知の工具を使用して、支持具Ａを構成する各部材をつかんで、縦溝５内で組み立てを行う。
その場合にも各部材を鉛直の姿勢で平行移動させて縦溝５内に挿入設置することができないので、１本ごとに支障物の下方や上方の空間を、水平に近い状態で寝かして通過させ、通過させた後に、支障物の裏の縦溝５内で徐々に鉛直に引き起こして配置することになる。
【００１８】
＜７＞下段支柱の設置。
縦溝５の最下部に、下段支柱１を挿入する。
下段支柱１は、柱材１１の下端に基礎台１２が取り付けてあるから、溝５内で鉛直に立てると基礎台１２を縦溝５の床面に設置した状態で柱材１１を鉛直の姿勢に維持することができる。
こうして、２本の下段支柱１を縦溝５の奥と、手前に平行して設置する。
両下段支柱１の基礎台１２の間は、最下段のせん断補強筋６で連結する。
そのために奥の下段支柱１の基礎台１２には半円状の受筒１４を設置しておき、手前の基礎台１２には事前に最下段のせん断補強筋６を取り付けておき、このせん断補強筋６を奥の基礎台１２の受け筒１４に挿入して設置することができる。
【００１９】
＜８＞下段せん断補強筋の設置。
並行して設置した２本の下段支柱１の上端には、上向きに開放した半円状の受け具１３が取り付けてある。
そこでその受け具１３の上に、せん断補強筋を搭載する。
これが下段せん断補強筋３である。
【００２０】
＜９＞上段支柱の設置。
下段せん断補強筋３の上に、上段支柱２の下側の受け具２２を被せて設置する。
この上段支柱２も、縦溝５の奥と手前に平行して設置する。
下側の受け具２２は半円形の金具であるから、単に下段のせん断補強筋３の上から被せるだけで左右方向の固定はできない。
しかし上段支柱２の両側には縦溝５の壁面が接近して位置するから、上段支柱２が多少傾いても問題はない。
【００２１】
＜１０＞上段せん断補強筋の設置。
平行して設置した２本の上段支柱２の上端には、上向きに開放した半円状の受け具２３が取り付けてある。
そこでその受け具２３の上に、せん断補強筋を搭載する。
これが上段せん断補強筋４である。
【００２２】
＜１１＞他の形状のせん断補強筋。
上記したように先行して縦長の縦溝を形成してある。
したがって棒状のせん断補強筋に限らず、先端をフック状に加工した補強筋、あるいはＬ字状の補強筋などを、下段支柱１の受け具１３の上に、あるいは上段支柱２の受け具２３の上に搭載して配置することができる。
【００２３】
＜１２＞連続組み立て。
上記の工程によって、順次上に上段支柱２を搭載し、せん断補強筋を搭載する作業を繰り返して行き、側面から見て梯子状に組み立ててゆく。
前記したように梯子の横桟に相当するのがせん断補強筋、縦桁に相当するのが上下段の支柱である。
【００２４】
＜１３＞充填材の充填。
ひとつの縦溝５内で、支持具Ａを用いたせん断補強筋の配置が終わったら、縦溝５の表面側に型枠として板を取り付け、縦溝５の内部にモルタルやコンクリートなどの充填材を充填する。
その結果、図に示すようにコンクリート構造物の内部に複数段にわたってせん断補強筋を設置した補強作業が完成し、表面に支障物のあるコンクリート構造物を、支障物を撤去したり移動することなく補強することができる。
【符号の説明】
【００２５】
Ａ：せん断補強筋支持具
１：上段支柱
２：下段支柱
３：下段のせん断補強筋
４：上段のせん断補強筋
５：縦溝
【図１】
2011122303.tif 000003
【図２】
2011122303.tif 000004
【図３】
2011122303.tif 000005
【図４】
2011122303.tif 000006
【図５】
2011122303.tif 000007
【図６】
2011122303.tif 000008
【図７】
2011122303.tif 000009
【図８】
2011122303.tif 000010
【図９】
2011122303.tif 000011
【図１０】
2011122303.tif 000012
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
コンクリート構造物の壁面などに、削孔の障害となる支障物が存在する場合の工法であって、
支障物を避けてコンクリート構造物の表面から元穴を削孔し、
この元穴の内部に、元穴の中心線にほぼ直交する方向に向けて高圧水を噴射できるノズルを挿入して元穴を中心に縦溝を形成し、
この縦溝の内部に、
下端を基礎台に固定し、上端に受け具を設けた下段支柱を、少なくとも２基挿入し、
両下段支柱の受け具の上にせん断補強筋を搭載し、
搭載したせん断補強筋の上に、
下端に受け具を設け、上端に受け具を設けた上段支柱を設置し、
搭載支柱の上端の受け具の上に、上段のせん断補強筋を搭載し、
この作業を繰り返した後、
縦溝内に、充填材を充填してせん断補強筋をコンクリート構造物の内部に設置する、
せん断補強工法。
【請求項２】
柱材の下端を基礎台に固定し、上端に受け具を設けた下段支柱と、
柱材の下端と上端に受け具を設けた上段支柱とより構成し、
一つの下段支柱の基礎台には受筒を取り付け、
他の下段支柱の基礎台には最下段のせん断補強筋を取り付け、
一つの下段支柱の基礎台の受筒に、前記の最下段のせん断補強筋を挿入し得るように構成し、
下段支柱の上端の各受け具は、下段のせん断補強筋を搭載できる受け皿状に形成し、
上段支柱の下端の受け具は、前記の下段のせん断補強筋の上に搭載できる受け皿状に形成し、
上段支柱の上端の受け具は、上段のせん断補強筋を搭載できる受け皿状に形成した、
せん断補強筋支持具。
【手続補正２】
【補正対象書類名】明細書
【補正対象項目名】０００５
【補正方法】変更
【補正の内容】
【０００５】
上記のような目的を達成するために、本発明のせん断補強工法は、コンクリート構造物の壁面などに、削孔の障害となる支障物が存在する場合の工法であって、支障物を避けてコンクリート構造物の表面から元穴を削孔し、この元穴の内部に、元穴の中心線にほぼ直交する方向に向けて高圧水を噴射できるノズルを挿入して元穴を中心に縦溝を形成し、この縦溝の内部に、下端を基礎台に固定し、上端に受け具を設けた下段支柱を、少なくとも２基挿入し、両下段支柱の受け具の上にせん断補強筋を搭載し、搭載したせん断補強筋の上に、下端に受け具を設け、上端に受け具を設けた上段支柱を設置し、搭載支柱の上端の受け具の上に、上段のせん断補強筋を搭載し、この作業を繰り返した後、縦溝内に、充填材を充填してせん断補強筋をコンクリート構造物の内部に設置する、せん断補強工法である。
また本発明のせん断補強筋支持具は、柱材の下端を基礎台に固定し、上端に受け具を設けた下段支柱と、柱材の下端と上端に受け具を設けた上段支柱とより構成し、一つの下段支柱の基礎台には受筒を取り付け、他の下段支柱の基礎台には最下段のせん断補強筋を取り付け、一つの下段支柱の基礎台の受筒に、前記の最下段のせん断補強筋を挿入し得るように構成し、下段支柱の上端の各受け具は、下段のせん断補強筋を搭載できる受け皿状に形成し、上段支柱の下端の受け具は、前記の下段のせん断補強筋の上に搭載できる受け皿状に形成し、上段支柱の上端の受け具は、上段のせん断補強筋を搭載できる受け皿状に形成したせん断補強筋支持具である。